(57)【特許請求の範囲】
【請求項１】
小型ケースの蓋側に取り付けるフック部と、小型ケースの本体側に取り付けるロック機構部とからなる小型ケース用錠前において、前記ロック機構部は、前記フック部に係合するスライダーと、前記スライダーをロック方向に押すバネと、前記スライダーを動かすつまみ部と、前記スライダーを可動的に保持して小型ケースの本体側に取り付けるベース部とを備え、前記バネは、前記つまみ部と前記スライダーとの間における前記ベース部の切り欠き面内に設けられていて、前記つまみ部は、前記バネの外側部分を覆うように前記ベース部に接して設けられており、前記スライダーは、前記バネの内側部分を包むように前記ベース部に接して設けられており、前記バネが前記スライダーを押す力の作用線と前記つまみ部が前記スライダーを押す力の作用線が近くなるように、前記バネと前記つまみ部と前記スライダーとが設けられていることを特徴とする小型ケース用錠前。
【請求項２】
前記つまみ部と前記スライダーに、前記ベース部の平坦な部分に接触するリブを設けたことを特徴とする請求項１記載の小型ケース用錠前。
【請求項３】
前記ベース部にストッパを設け、前記スライダーに前記ストッパに当接する斜面部を設け、前記バネの力により前記斜面部が前記ストッパに押し付けられると前記フック部側のベース部内面に前記スライダーが押し付けられて隙間が少なくなるようにしたことを特徴とする請求項１記載の小型ケース用錠前。
【発明の詳細な説明】
【技術分野】
【０００１】
本発明は、小型ケース用錠前に関し、特に、解除操作がスムーズにできる小型ケース用錠前に関する。
【背景技術】
【０００２】
従来の小型ケース用錠前は、図４（ａ）に示す構造をしている。小型ケースの蓋側に、フック部が取り付けられている。小型ケースの本体側に、ロック機構部が取り付けられている。ベース部で、スライダーを可動的に保持して、小型ケースの本体側に固定している。バネは、スライダーとフックが係合する位置の延長線上に設けられている。小型ケースの蓋を閉めると、フックが本体側に入り、ロック機構部のスライダーの爪部がフックに係合する。バネが、スライダーをロック方向に常に押しているので、フックがスライダーを押しながら進入する。フックの先端が爪部の下に入ると、バネの力でスライダーが戻って爪部とフックが係合して、施錠される。開錠する場合には、つまみ部でスライダーをロック方向の反対側に動かして、爪部をフックから外すことでロックを解除する。以下に、これに関連する従来技術の例をあげる。
【０００３】
特許文献１に開示された「鞄等の錠前」は、確実に開錠できて耐久性のよい錠前である。図４（ｂ）に示すように、係合金具には鉤状部がある。被係合具には、係合爪を有するスライダーがある。スライダーは、主スプリングにより付勢されて、係合爪が挿入口の半分を塞いでいる。係合金具押し戻し片は、副スプリングにより付勢されて、挿入口の残り半分を塞いでいる。開錠時には、係合金具押し戻し片により係合金具が確実に押し出される。
【０００４】
特許文献２に開示された「錠前」は、つまみを押えていなくても開けることができるようにした錠前である。図４（ｃ）に示すように、係止板の下端縁に、凹欠を形成する。安定鉤片を主板に枢着して、ばねを作用させる。施錠すると、係止板に設けた切欠が、主板の止鉤に嵌る。開錠時に、係止板と主板とが解離すると、安定鉤片が凹欠に嵌って、係止板を停止させる。つまみを離しても、主板は戻らない。係止板が離れると、安定鉤片が取れて、係止板が戻る。
【特許文献１】実開昭62-011973号公報
【特許文献２】実開平05-012566号公報
【発明の開示】
【発明が解決しようとする課題】
【０００５】
しかし、上記従来の小型ケース用錠前では次のような問題がある。バネの力の方向とつまみ部の力の方向が大きくずれているので、回転モーメントが大きくなる。そのため、つまみ部が回転モーメントによりベース部に押し付けられる。したがって、つまみ部とベース部の間の大きな摩擦力のために、解除操作がスムーズにできない。それを避けるために、バネの力の方向とつまみ部の力の方向を一致させるようにすると、構成が複雑になって部品も多くなり、コストがかかる。
【０００６】
本発明の目的は、上記従来の問題を解決して、簡単な構成で小型ケース用錠前の解除操作がスムーズにできるようにすることである。
【課題を解決するための手段】
【０００７】
上記の課題を解決するために、本発明では、小型ケースの蓋側に取り付けるフック部と、小型ケースの本体側に取り付けるロック機構部とからなる小型ケース用錠前のロック機構部に、フック部に係合するスライダーと、スライダーをロック方向に押すバネと、スライダーを動かすつまみ部と、スライダーを可動的に保持して小型ケースの本体側に取り付けるベース部とを備え、バネを、つまみ部とスライダーとの間におけるベース部の切り欠き面内に設ける構成とした。
【０００８】
また、つまみ部とスライダーに、ベース部の平坦な部分に接触するリブを設けた。さらに、ベース部にストッパを設け、スライダーにストッパに当接する斜面部を設け、バネの力により斜面部がストッパに押し付けられるとフック部側のベース部内面にスライダーが押し付けられて隙間が少なくなるようにした。
【発明の効果】
【０００９】
上記のように構成したことにより、バネの力の作用線とつまみ部の力の作用線が近くなり、リブでベース部のバリを避けるので、小型ケース用錠前の解除操作がスムーズにできるようになる。さらに、ストッパと斜面部の作用により、スライダーとベース部の隙間が少なくなって、施錠状態における小型ケースの本体と蓋の間のガタつきが無くなる。
【発明を実施するための最良の形態】
【００１０】
以下、本発明を実施するための最良の形態について、図１〜図３を参照しながら詳細に説明する。
【実施例】
【００１１】
本発明の実施例は、スライダーを押すバネを、つまみ部とスライダーとの間におけるベース部の切り欠き面内に設け、ベース部のバリを避けるリブをつまみ部とスライダーに設け、ベース部のストッパに当接する斜面部をスライダーに設けた小型ケース用錠前である。
【００１２】
図１は、本発明の実施例における小型ケース用錠前の概念図である。図１（ａ）は、小型ケースに錠前を取り付けた状態を示す概念図である。図１（ｂ）は、小型ケース用錠前の透視図である。図１（ｃ）は、小型ケース用錠前の詳細図である。図１において、フック部１は、ケースの蓋側に固定される鉤である。ベース部２は、ケースの本体側に固定される基板である。スライダー３は、フック部に係合する爪部を有する可動部材であり、ベース部に可動的に保持される。つまみ部４は、スライダーを指で動かしてフック部と爪部との係合を解除するための部材である。バネ５は、スライダーをロック方向に付勢するためのコイルスプリングである。ストッパ７は、スライダーをベース部に押し付けるための突起である。フック８は、スライダーの爪部と係合する部分である。
【００１３】
図２は、小型ケース用錠前の部品の図である。図２（ａ）は、フック部の概念図である。図２（ｂ）は、つまみ部の概念図である。図２（ｃ）は、バネの概念図である。図２（ｄ）は、ベース部の概念図である。図３は、小型ケース用錠前のスライダーの詳細図である。図３（ａ）は、スライダーの斜視図である。図３（ｂ）は、スライダーの上面図である。図３（ｃ）は、スライダーの下面図である。図３（ｄ）は、スライダーの正面図である。図３（ｅ）は、スライダーの背面図である。図３（ｆ）は、スライダーの左側面図である。図３（ｇ）は、スライダーの右側面図である。図３（ｈ）は、スライダーの動きに垂直な方向の断面図である。図３（ｉ）は、スライダーの動きに平行な方向の断面図である。図２と図３において、リブ６は、ベース部のバリを避けて接触させるために、つまみ部またはスライダーに設けた突起である。取付部９は、フック部をケースの蓋の縁に取り付けるための部分である。
【００１４】
上記のように構成された本発明の実施例における小型ケース用錠前の機能と動作を説明する。最初に、図１を参照しながら、小型ケース用錠前の機能の概要を説明する。小型ケース用錠前は、小型ケースの蓋側に取り付けるフック部１と、小型ケースの本体側に取り付けるロック機構部とからなる。ロック機構部には、フック部１に係合するスライダー３と、スライダー３をロック方向に押すバネ５と、スライダー３を動かすつまみ部４と、スライダー３を可動的に保持して小型ケースの本体側に取り付けるベース部２がある。
【００１５】
つまみ部４とスライダー３との間におけるベース部２の切り欠き面内に設けたバネ５で、スライダー３をロック方向に押すので、スライダー３はフック部１に係合する。つまみ部４でスライダー３を動かすと解錠できる。バネ５がつまみ部４に近い位置にあるので、解錠時につまみ部４がほとんど傾かず、ベース部２との摩擦で動きを妨げられることがない。つまみ部４とスライダー３に、ベース部２の平坦な部分に接触するリブ６が設けてあるので、ベース部のバリに妨げられることなく滑らかに動く。スライダー３の斜面部が、バネ５の力により、ベース部２のストッパ７に押し付けられると、フック部１側のベース部２の内面にスライダー３が押し付けられる。
【００１６】
次に、図２を参照しながら、各部品の構成を説明する。図２（ａ）に示すように、フック部１は、フック８と取付部９が一体となっている。別々の部品をカシメなどにより結合してもよい。図２（ｂ）に示すように、つまみ部４は、スライダー３に挿入して一体化するようになっている。図２（ｃ）に示すように、バネ５は、単純なコイルスプリングである。図２（ｄ）に示すように、ベース部２のストッパ７は、切り欠きから引き起こされている。バネ５とスライダー３が嵌る穴が明けられている。
【００１７】
次に、図３を参照しながら、スライダーの構成と機能を説明する。図３（ａ）は、スライダーの斜視図である。図３（ｂ）は、ｂ方向から見た上面図である。図３（ｃ）は、ｃ方向から見た下面図である。図３（ｄ）は、ｄ方向から見た側面図である。図３（ｅ）は、ｅ方向から見た側面図である。図３（ｆ）は、ｆ方向から見た側面図である。図３（ｇ）は、ｇ方向から見た側面図である。図３（ｈ）は、ｈ方向から見た断面図である。図３（ｉ）は、ｉ方向から見た断面図である。
【００１８】
バネ５は、ベース部２の取り付け面の切り欠き面内に設けられている。バネ５は、スライダー３とつまみ部４に挟まれた位置にある。フック８と爪部とが係合する位置とつまみ部４の中間の取り付け面にバネ５が設けられているので、バネ５の力の作用線とつまみ部４の力の作用線が近くなる。したがって、つまみ部４に働く回転モーメントは小さく、つまみ部４がベース部２を押す力は小さい。そのため、つまみ部４とベース部２との摩擦は少なくなる。また、ベース部２のバリを避けるように、スライダー３とつまみ部４にリブ６を設けてあるため、ベース部２のバリに引っかかって動きが阻害されることがない。
【００１９】
ベース部２にストッパ７を設け、スライダー３にストッパ７に当接する斜面部を設けてある。バネ５の力により斜面部がストッパ７に押し付けられると、フック部１側のベース部２の内面にスライダー３が押し付けられるので、がたが無くなる。ロック時には、スライダー３の爪部先端が力点となり、ベース部２の天井（フック部１側の内面）が支点となって、スライダー３を回転させる力が働く。斜面部をストッパ７で押し付けているので、回転を抑えることができる。
【００２０】
スライダー３の爪部の掛りしろ部には、内側に向かって２°の角度が付けてある。フック８が外れる側に動こうとする際に、フック８が爪部の面に当たって抵抗となるので、衝撃時にフック８が外れるのを防止できる。
【００２１】
上記のように、本発明の実施例では、小型ケース用錠前を、スライダーを押すバネを、つまみ部とスライダーとの間におけるベース部の切り欠き面内に設け、ベース部のバリを避けるリブをつまみ部とスライダーに設け、ベース部のストッパに当接する斜面部をスライダーに設けた構成としたので、解除操作がスムーズにでき、蓋のガタつきも無くなる。
【産業上の利用可能性】
【００２２】
本発明の小型ケース用錠前は、楽器ケースなどの小型ケースの錠前として最適である。
【図面の簡単な説明】
【００２３】
【図１】本発明の実施例における小型ケース用錠前の概念図である。
【図２】本発明の実施例における小型ケース用錠前の部品の概念図である。
【図３】本発明の実施例における小型ケース用錠前のスライダーの概念図である。
【図４】従来の小型ケース用錠前の概念図である。
【符号の説明】
【００２４】
１  フック部
２  ベース部
３  スライダー
４  つまみ部
５  バネ
６  リブ
７  ストッパ
８  フック
９  取付部
【図１】
0005187723.tif 000002
【図２】
0005187723.tif 000003
【図３】
0005187723.tif 000004
【図４】
0005187723.tif 000005